(57)【特許請求の範囲】
【請求項１】
検証装置がビデオ情報に対して検証を行う方法であって、
ユーザのビデオ情報を取得するステップと、
前記ユーザのユーザ関連情報を取得するステップと、
前記ユーザのユーザ関連情報に基づいて、前記ユーザに対応する検証要件を決定するステップと、
前記ユーザ関連情報に基づいて、前記ユーザのビデオ情報を検証する必要があるか否かを決定するステップと、
前記ユーザのビデオ情報を検証する必要があると決定された場合は、前記ビデオ情報に基づいて、前記ビデオ情報に対応するビデオ検証情報を抽出する抽出ステップと、
前記ビデオ検証情報に基づいて検証処理を実行して、前記ビデオ情報が前記ユーザに対応する検証要件を満たすか否かを決定する検証実行ステップと、
を含み、
前記ユーザ関連情報は、ユーザの業界情報、ユーザのレベル情報及びユーザの経営情報の少なくとも１つを含む
ことを特徴とするビデオ情報に対して検証を行う方法。
【請求項２】
前記検証実行ステップは、
前記ビデオ検証情報に基づいて、検証選別情報を考慮し、前記ビデオ検証情報に対して第１の検証処理を実行して、前記ビデオ情報が前記ユーザに対応する検証要件を満たすか否かを決定するステップを含む
ことを特徴とする請求項１に記載の方法。
【請求項３】
前記ビデオ情報に対して検証を行う方法は、
前記ユーザに対応する基本情報を取得するステップをさらに含み、
前記検証実行ステップは、
前記基本情報に基づいて前記ユーザに対して第２の検証処理を実行して、前記ビデオ情報が前記ユーザに対応する検証要件を満たすか否かを決定するステップを含む
ことを特徴とする請求項２に記載の方法。
【請求項４】
前記検証要件は、検証されるビデオ情報及び基本情報のうちの少なくとも１つに含まれてもよい検証選別情報、及び／又は検証されるビデオ情報及び基本情報のうちの少なくとも１つに含まれてはいけない検証選別情報を示すことを特徴とする請求項２又は３に記載の方法。
【請求項５】
前記検証選別情報は、選別オブジェクト情報、選別テキスト情報のうちの少なくとも１つを含むことを特徴とする請求項４に記載の方法。
【請求項６】
前記ビデオ情報に対して検証を行う方法は、
前記ビデオ情報が前記ユーザに対応する検証要件を満たす場合、前記ビデオ情報に対応するビデオ参照情報を生成するステップと、
前記ビデオ参照情報を検索エンジンに提出することにより、ユーザが前記ビデオ情報に対応する検索結果を選択する時に、前記検索エンジンが、当該ビデオ参照情報に基づいて、当該ビデオ情報を取得してユーザに表示するステップと、を含む
ことを特徴とする請求項１〜５のいずれか１項に記載の方法。
【請求項７】
前記ビデオ検証情報は、ビデオフレームサンプリング情報、ビデオ関連テキスト情報及びビデオ関連オーディオ情報のうちの少なくとも１つを含む
ことを特徴とする請求項１〜６のいずれか１項に記載の方法。
【請求項８】
前記ユーザのビデオ情報を取得し、前記ユーザのユーザ関連情報を取得するための取得手段と、
前記ユーザ関連情報に基づいて、前記ユーザのビデオ情報を検証する必要があるか否かを決定する手段と、
前記ビデオ情報に基づいて、前記ビデオ情報に対応するビデオ検証情報を抽出するための抽出手段と、
前記ビデオ検証情報に基づいて検証処理を実行して、前記ビデオ情報が前記ユーザに対応する検証要件を満たすか否かを決定するための検証実行手段と、を備え、
前記ユーザ関連情報は、ユーザの業界情報、ユーザのレベル情報及びユーザの経営情報の少なくとも１つを含む
ことを特徴とするビデオ情報に対して検証を行うための検証装置。
【請求項９】
前記検証実行手段は、
前記ビデオ検証情報に基づいて、検証選別情報を考慮し、前記ビデオ検証情報に対して第１の検証処理を実行して、前記ビデオ情報が前記ユーザに対応する検証要件を満たすか否かを決定する手段
ことを特徴とする請求項８に記載の検証装置。
【請求項１０】
前記検証装置は、前記ユーザに対応する基本情報を取得するための手段をさらに備え、
前記検証実行手段は、
前記基本情報に基づいて前記ユーザに対して第２の検証処理を実行して、前記ビデオ情報が前記ユーザに対応する検証要件を満たすか否かを決定するための手段を備える
ことを特徴とする請求項９に記載の検証装置。
【請求項１１】
前記検証要件は、検証されるビデオ情報及び基本情報のうちの少なくとも１つに含まれてもよい検証選別情報、及び／又は検証されるビデオ情報及び基本情報のうちの少なくとも１つに含まれてはいけない検証選別情報を示すことを特徴とする請求項９又は１０に記載の検証装置。
【請求項１２】
前記検証選別情報は、選別オブジェクト情報、選別テキスト情報のうちの少なくとも１つを含むことを特徴とする請求項１１に記載の検証装置。
【請求項１３】
前記検証装置は、
前記ビデオ情報が前記ユーザに対応する検証要件を満たす場合、前記ビデオ情報に対応するビデオ参照情報を生成するための手段と、
前記ビデオ参照情報を検索エンジンに提出することにより、ユーザが前記ビデオ情報に対応する検索結果を選択する時に、前記検索エンジンが、当該ビデオ参照情報に基づいて、当該ビデオ情報を取得してユーザに表示するための手段と、を備える
ことを特徴とする請求項８〜１２のいずれか１項に記載の検証装置。
【請求項１４】
前記ビデオ検証情報は、ビデオフレームサンプリング情報、ビデオ関連テキスト情報及びビデオ関連オーディオ情報のうちの少なくとも１つを含む
ことを特徴とする請求項８〜１３のいずれか１項に記載の検証装置。
【請求項１５】
コンピュータ読み取り可能な記録媒体であって、
前記コンピュータ読み取り可能な記録媒体にはコンピュータコードが記憶され、前記コンピュータコードがコンピュータによって実行されると、請求項１〜７のいずれか１項に記載されたビデオ情報に対して検証を行う方法が実行される
ことを特徴とするコンピュータ読み取り可能な記録媒体。
【請求項１６】
検証装置が請求項１〜７のいずれか１項に記載されたビデオ情報に対して検証を行う方法をコンピュータに実行させること特徴とするコンピュータプログラム。
【請求項１７】
コンピュータコードが記憶されるメモリとプロセッサとを備えたコンピュータであって、
前記メモリには、請求項１〜７のいずれか１項に記載されたビデオ情報に対して検証を行う方法を前記プロセッサに実行させるためのコンピュータコードが記憶され、前記コンピュータコードが前記プロセッサによって実行されると、前記方法が実現されることを特徴とするコンピュータ。
【発明の詳細な説明】
【技術分野】
【０００１】
＜関連出願の相互参照＞
本願は、２０１４年１２月３１日に提出された、出願番号が２０１４１０８５３４１９．１で、名称が「ビデオ情報に対して検証を行うための方法及び装置」である中国特許出願に基づく優先権を主張し、当該出願の全文を引用により本願に組み込む。
【０００２】
本発明はコンピュータの技術分野に関し、特にビデオ情報に対して検証（verify）を行うための方法及び装置に関する。
【背景技術】
【０００３】
従来技術では、インターネットユーザは、検索エンジンで、例えば学校、会社等の企業又は機関等を検索する時に、検索結果において条件を満たす各企業又は機関等及びその検証情報を閲覧することができる。しかしながら、一般的に、インターネットユーザは関連する文字又は画像情報しか閲覧することができず、文字又は画像によって取得できる情報が非常に限られており、インターネットユーザは対応する企業又は機関等に対して全面的で深く理解することは難しく、且つその真実性等の情報については信頼度が低い。
【発明の概要】
【発明が解決しようとする課題】
【０００４】
本発明は、ビデオ情報に対して検証を行うための方法及び装置を提供することを目的とする。
【課題を解決するための手段】
【０００５】
本発明に係る一態様によれば、ビデオ情報に対して検証を行うための方法を提供し、前記方法は、
前記ユーザのビデオ情報を取得するステップと、
前記ビデオ情報に基づいて、前記ビデオ情報に対応するビデオ検証情報を抽出するステップと、
前記ビデオ検証情報に基づいて検証処理を実行して、前記ビデオ情報が前記ユーザに対応する検証要件を満たすか否かを決定するステップと、を含む。
【０００６】
本発明に係る一態様によれば、ビデオ情報に対して検証を行うための検証装置を提供し、前記検証装置は、
前記ユーザのビデオ情報を取得するための装置と、
前記ビデオ情報に基づいて、前記ビデオ情報に対応するビデオ検証情報を抽出するための装置と、
前記ビデオ検証情報に基づいて検証処理を実行して、前記ビデオ情報が前記ユーザに対応する検証要件を満たすか否かを決定するための装置と、を備える。
【発明の効果】
【０００７】
従来技術に比べて、本発明は以下の利点を有する。ユーザのビデオ情報を取得して検証することができるため、当該ユーザの検証要件を満たすビデオを表示し、インターネットユーザが検索エンジンの検索結果において当該ユーザに関連するビデオ情報を閲覧することを可能にすることで、ビデオ情報を通じて当該ユーザに対する理解を深めることができる。また、本発明の方案によれば、ビデオ情報そのものをより全面的に表示することを希望する一部の企業又は機関等の需要を満たすことができる。
【図面の簡単な説明】
【０００８】
【図１】本発明に係るビデオ情報に対して検証を行うための方法のフローチャートである。
【図２】本発明に係るビデオ情報に対して検証を行うための検証装置の構造概略図である。
【図３】本発明に係る例示的なビデオ表示効果図である。
【発明を実施するための形態】
【０００９】
以下に、図面を参照して、非限定的な実施例に対する詳細な説明を読むことによって、本発明の他の特徴、目的及び利点はより明らかとなる。
図面において、同一又は類似の符号は同一又は類似の部材を示す。
以下、図面を参照しながら本発明をさらに詳細に説明する。
【００１０】
図１は、本発明に係るビデオ情報に対して検証を行うための方法のフローチャートである。本発明に係る方法は、ステップＳ１、ステップＳ２及びステップＳ３を含む。
【００１１】
本発明に係る方法は、コンピュータ機器に含まれる検証装置によって実現される。前記コンピュータ機器は、事前に設定され又は記憶された指令に応じて、自動的に数値計算及び／又は情報処理を行う電子機器を含み、そのハードウェアは、マイクロプロセッサ、特定用途向け集積回路（ＡＳＩＣ）、プログラマブルゲートアレイ（ＦＰＧＡ）、デジタルプロセッサ（ＤＳＰ）、内蔵用機器等を含むが、それらに限定されない。前記コンピュータ機器はネットワーク機器及び／又はユーザ機器を含む。
【００１２】
前記ネットワーク機器は、単一のネットワークサーバ、複数のネットワークサーバからなるサーバグループ、又はクラウドコンピューティング（Ｃｌｏｕｄ  Ｃｏｍｐｕｔｉｎｇ）に基づく大量のホスト又はネットワークサーバからなるクラウドを含むが、それらに限定されない。クラウドコンピューティングは分散コンピューティングの一種であり、一組の疎結合コンピュータセットからなる仮想スーパーコンピュータである。
【００１３】
前記ユーザ機器は、キーボード、マウス、リモコン、タッチパッド、又は音声制御機器等の手段によってユーザとマンマシンインタラクティブを行うことができるいずれかの電子製品を含むが、それらに限定されない。例えば、パーソナルコンピュータ、タブレットパソコン、スマートフォン等である。前記ユーザ機器及びネットワーク機器が属するネットワークは、インターネット、ワイドエリアネットワーク、メトロポリタンエリアネットワーク、ローカルエリアネットワーク、ＶＰＮネットワーク等を含むが、それらに限定されない。
【００１４】
好ましくは、前記検証装置はネットワーク機器に含まれる。
【００１５】
なお、前記ユーザ機器、ネットワーク機器及びネットワークは、例示的なものにすぎず、他の従来の又は将来的に利用可能なユーザ機器、ネットワーク機器及びネットワークは、本発明に適用することができる限り、本発明の保護範囲内に含まれるべきであり、そして、引用により本願に組み込む。
【００１６】
図１に示すように、ステップＳ１では、検証装置は、前記ユーザのビデオ情報を取得する。
【００１７】
好ましくは、前記ユーザは、例えば企業、団体、機構等のユーザを含む。
【００１８】
ここで、前記検証装置が前記ユーザのビデオ情報を取得する態様として、以下のいずれかを含むことができるが、それらに限定されない。
【００１９】
１）ユーザから提出されたビデオ情報を受信する。
【００２０】
２）ユーザが提出したビデオ指示情報に基づいて、対応するビデオ情報を取得する。ここで、前記ビデオ指示情報は、取得しようとするビデオを指示するための関連情報を含み、例えば、ビデオアドレス情報、ビデオ識別子情報等が挙げられる。
【００２１】
例えば、ユーザによって提出されたビデオアドレス情報に基づいて、対応するビデオ情報を取得する。
【００２２】
次に、ステップＳ２では、検証装置は、前記ビデオ情報に基づいて前記ビデオ情報に対応するビデオ検証情報を抽出する。
【００２３】
ここで、前記ビデオ検証情報は、ユーザのビデオ情報を検証することができる各種情報を含む。
【００２４】
好ましくは、前記ビデオ検証情報は、以下の少なくとも一つを含むが、それらに限定されない。
【００２５】
１）ビデオフレームサンプリング情報。
【００２６】
２）ビデオ関連テキスト情報。当該ビデオ関連テキスト情報は、ユーザのビデオに関連する各種のテキスト情報を含み、例えば、ビデオ記述情報、ビデオタイトル等が挙げられる。
【００２７】
３）ビデオ関連オーディオ情報。当該ビデオ関連オーディオ情報は、ユーザのビデオに関連する各種のオーディオ情報を含み、例えば、ビデオから抽出される一部のオーディオ等が挙げられる。
【００２８】
次に、ステップＳ３では、検証装置は、前記ビデオ検証情報に基づいて検証処理を実行して、前記ビデオ情報が前記ユーザに対応する検証要件を満たすか否かを決定する。
【００２９】
前記検証要件は、検証しようとするビデオ情報及び／又は基本情報に含まれてもよい及び／又は含まれてはいけない検証選別情報を指示するためのものである。
【００３０】
例えば、選別テキスト情報は、ビデオ関連テキスト情報に含む必要がある文字及び／又は含んではいけない規制のある文字等を含んでもよい。
【００３１】
また、例えば、ビデオフレームに「教室」、「オフィス」等のシーンモデルに合致するオブジェクトを含む必要があり、或いは、ビデオフレームに「たばこ」、「酒」等のモデルに合致するオブジェクトを含んではいけない。好ましくは、前記検証選別情報は、以下の少なくとも一つを含むが、それらに限定されることはない。
【００３２】
１）選別オブジェクト情報。当該選別オブジェクト情報は、選別に利用可能なオブジェクト情報を含み、例えば、画像認識処理に基づいて認識された「たばこ」、「酒」等のオブジェクトモデルが挙げられ、また、例えば、人の顔認識処理に基づいて認識される特定の人の姿等が挙げられる。
【００３３】
２）選別テキスト情報。当該選別テキスト情報は、選別に利用可能なテキスト情報を含む。
【００３４】
例えば、検証装置が選別するためのブラックリスト、規制のある文字情報等が挙げられる。
【００３５】
具体的に、検証装置は、前記ビデオ検証情報に基づいて、検証選別情報を考慮し、前記ビデオ検証情報に対して第１の検証処理を実行して、前記ビデオ情報が前記ユーザに対応する検証要件を満たすか否かを決定する。
【００３６】
前記検証装置は、前記ビデオ検証情報に基づいて、検証選別情報を考慮し、前記ビデオ検証情報に対して第１の検証処理を実行して、前記ビデオ情報が前記ユーザに対応する検証要件を満たすか否かを決定する態様は、以下の少なくとも一つの処理を含むが、それらに限定されない。
【００３７】
１）ビデオ検証情報がビデオフレームサンプリング情報を含む場合、当該ビデオフレームサンプリング情報に対して画像認識処理を実行してそれに含まれる各オブジェクト情報を取得し、取得した各オブジェクト情報によって検証選別情報とマッチングして、前記ビデオ情報が前記ユーザに対応する検証要件を満たすか否かを決定する。
【００３８】
２）ビデオ検証情報がビデオ関連テキスト情報を含む場合、当該ビデオ関連テキスト情報と検証選別情報とをマッチングして、前記ビデオ情報が前記ユーザに対応する検証要件を満たすか否かを決定する。
【００３９】
例えば、取得したビデオ記述情報によって所定の選別ワードとマッチングし、当該ビデオ記述情報に当該選別ワードを含む場合、対応するビデオ情報がユーザに対応する検証要件を満たすと決定する。
【００４０】
３）検証選別情報がビデオ関連オーディオ情報を含む場合、当該ビデオ関連オーディオ情報に対して意味分析処理を実行してそれに含まれる意味テキスト情報を取得し、取得された意味テキスト情報によって検証選別情報とマッチングして、前記ビデオ情報が前記ユーザに対応する検証要件を満たすか否かを決定する。
【００４１】
本発明に係る第１例によれば、検証装置は、ステップＳ１で電子商取引ユーザからのビデオｖｉｄｅｏ_１を取得し、当該電子商取引に対応する検証要件は、含んではいけない図形識別子ｉｍｇ_１、及び含んではいけない宣伝語ｐｒａ_１を含む。また、検証装置は、ステップＳ２で当該ビデオｖｉｄｅｏ_１に対応するサンプリングビデオフレームｓａｍｐｌｅ_１〜ｓａｍｐｌｅ_２０を対応するビデオ検証情報として抽出する。次に、検証装置は、取得した各サンプリングビデオフレームに対して画像認識処理を実行して、その中にｉｍｇ_１を含むか否かを決定し、且つ、検証装置は、サンプリングビデオフレームから字幕情報を抽出する処理を実行し、抽出された字幕情報に基づいて当該字幕情報に宣伝語ｐｒａ_１を含むか否かを判定し、サンプリングビデオフレームｓａｍｐｌｅ_１〜ｓａｍｐｌｅ_２０のいずれもｉｍｇ_１及びｐｒａ_１を含まないと決定した場合、当該ビデオｖｉｄｅｏ_１が当該電子商取引に対応する検証要件を満たすと決定する。
【００４２】
好ましくは、前記方法はステップＳ４（図示せず）をさらに含み、前記ステップＳ３はステップＳ３０１（図示せず）をさらに含む。
【００４３】
ステップＳ４では、検証装置は、前記ユーザに対応する基本情報を取得する。
【００４４】
前記基本情報は、以下の少なくとも一つを含むが、それらに限定されない。
【００４５】
１）企業の工商情報（企業の登記情報）
２）テキスト情報
３）画像情報
４）ウェブサイト情報。
【００４６】
例えば、検証装置は、工商局（中国の場合）のウェブサイトに接続することによって、検証しようとするユーザに対応する企業の登記情報を取得する。また、例えば、検証装置は、ユーザが入力したウェブサイトアドレス（ＵＲＬ）に基づいて、そのウェブサイトにアクセスして対応するウェブサイト情報等を取得する。
【００４７】
ステップＳ３０１では、検証装置は、前記基本情報に基づいて前記ユーザに対して第２の検証処理を実行して、前記ビデオ情報が前記ユーザに対応する検証要件を満たすか否かを決定する。
【００４８】
例えば、取得したユーザに対応する企業の工商情報に基づいて、関連するウェブサイトに問い合わせを行い、当該ユーザに対応する問い合わせ結果を取得した場合、当該ユーザのビデオがその工商情報に対応する検証要件を満たすと決定する。
【００４９】
本発明の一の好適な実施形態によれば、前記方法は、ステップＳ５（図示せず）とステップＳ６（図示せず）をさらに含む。
【００５０】
ステップＳ５では、検証装置は、前記ユーザのユーザ関連情報を取得する。
【００５１】
ここで、前記ユーザ関連情報は、以下の少なくとも一つを含むが、それらに限定されない。
【００５２】
１）業界分野情報。該業界分野情報は、ユーザの業界分野、例えば、所定の教育、映画・テレビ、飲食等の分野を示すための情報である。
【００５３】
２）ユーザのレベル（等級）情報。該ユーザのレベル情報は、ユーザに対応するレベルを示すことに用いられてもよい各種情報を含む。例えば、ブロンズユーザ、シルバーユーザ、ゴールドユーザ等のメンバーのレベル情報が挙げられる。
【００５４】
３）ユーザ経営情報。該ユーザ経営情報は、ユーザの属する業界分野の経営状況に関連する各種情報を含み、例えば、「広告」分野に属する各ユーザの前年度の売上高を統計し、統計結果に基づいて各ユーザをランキングし、取得した各ユーザの各ランキング情報をその経営関連情報とする。
【００５５】
好ましくは、当該ユーザ経営情報は経営実景情報をさらに含んでもよく、例えば、ユーザの経営場所を反映する画像等である。
【００５６】
次に、ステップＳ６では、検証装置は、前記ユーザのユーザ関連情報に基づいて、前記ユーザに対応する検証要件を決定する。
【００５７】
例えば、ユーザの業界分野が「スポーツ用品」分野を含む場合、その検証要件は、「ｎｉｋｅ商標と同一又は類似の画像を含まないこと」を含み、業界分野が「教育訓練」の分野である場合、その検証要件は、「‘新東方（New Oriental）’、‘ウォールストリート’等の名称と同一又は類似の文字を含まないこと」を含み、さらに、例えば、検証要件は、等級の低い方から高い方へのユーザ等級に基づいて緩くしてもよい。
【００５８】
好ましくは、本好適な実施例に係る方法は、前記ステップＳ２の前にステップＳ７（図示せず）をさらに含む。
【００５９】
ステップＳ７では、検証装置は、前記ユーザ関連情報に基づいて、そのビデオ情報を検証する必要があるか否かを決定する。
【００６０】
本発明に係る第２例によれば、所定の規則で、「インターネット」、「電子商取引」及び「飲食」の３つの業界のみに対してビデオ検証処理を実行する。検証装置は、ステップＳ１で、それぞれ、ユーザｕｓｅｒ_１及びｕｓｅｒ_２という２つのユーザからのビデオ情報ｖｉｄｅｏ_２及びｖｉｄｅｏ_３を取得した後に、ステップＳ５で取得した、当該ユーザｕｓｅｒ_１のユーザ関連情報である業界分野「飲食」及びユーザｕｓｅｒ_２のユーザ関連情報である業界分野「教育訓練」に基づいて、ユーザｕｓｅｒ_１に対してビデオ検証を実行し、ユーザｕｓｅｒ_２に対してビデオ検証を実行しないと決定する。次に、検証装置は、ステップＳ６によって、当該業界分野「飲食」に対応する規制のある文字選別データベースを当該ユーザｕｓｅｒ_１に対応する検証選別情報として決定する。次に、検証装置は、ステップＳ２で当該ビデオに対応するビデオ検証情報であるビデオ記述情報を抽出し、ステップＳ３で当該ビデオ記述情報に基づいて、当該飲食企業に対応する規制のある文字選別データベースを参照し、当該ビデオ記述情報を検証し、当該ビデオ記述情報が当該選別データベース中の各規制のある文字を含まないと決定した場合、ビデオｖｉｄｅｏ_２が当該飲食企業ユーザｕｓｅｒ_１に対応する検証要件を満たすと決定する。
【００６１】
なお、本発明のステップＳ７は、ステップＳ６の後に、ステップＳ２の前に実行すればよい。また、ステップＳ１の前に実行してもよく、ステップＳ１の後に実行してもよく、或いは、ステップＳ１とともに実行してもよい。
【００６２】
好ましくは、本発明に係る方法は、ステップＳ８（図示せず）とステップＳ９（図示せず）をさらに含む。
【００６３】
ステップＳ８では、前記ビデオ情報が前記ユーザに対応する検証要件を満たす場合、検証装置は、前記ビデオ情報に対応するビデオ参照情報を生成する。
【００６４】
ここで、前記ビデオ参照情報は、検索エンジンによるビデオインデックスの作成に供し、当該ビデオ情報を取得するための関連情報を含む。
【００６５】
好ましくは、前記ビデオ参照情報は、以下の少なくとも一つの情報を含むが、それらに限定されない。
【００６６】
１）ビデオネットワークアドレス。
２）ビデオ識別子情報。
３）ビデオテキスト情報、例えば、ビデオのタイトル情報、ビデオキーワード情報等。
【００６７】
ステップＳ９では、検証装置は、前記ビデオ参照情報を検索エンジンに送信することにより、ユーザが前記ビデオ情報に対応する検索結果を選択する時に、前記検索エンジンが、当該ビデオ参照情報に基づいて、当該ビデオ情報を取得してユーザに表示するのに供する。
【００６８】
本発明に係る第３例では、図３に示すとおり、図３は、例示的なビデオ表示効果図であり、「春田花花幼稚園」というユーザのビデオ情報ｖｉｄｅｏ_４がビデオ検証に成功した後に、検証装置は、ステップＳ８で当該ビデオ情報ｖｉｄｅｏ_４に対応する再生アドレス情報をビデオ参照情報として、当該再生アドレスを検索エンジンに提供する。検索ユーザが当該検索エンジンで幼稚園を検索し、且つ当該「春田花花幼稚園」というユーザに対応する検索結果に、「信用情報」のオプションをクリックすると、当該「春田花花幼稚園」というユーザに対応するビデオ情報ｖｉｄｅｏ_４を取得することができかつユーザに表示することができる。
【００６９】
本発明の方法によって、ユーザのビデオ情報を取得して検証することができるようにしたことにより、該ユーザの検証要件を満たすビデオを表示し、インターネットユーザが検索エンジンの検索結果において当該ユーザの関連ビデオ情報を閲覧することが可能にすることで、ビデオ情報によって当該ユーザに対する理解を深めることができる。且つ、本発明の方法によって、ビデオ情報そのものをより全面的に表示することを希望するいくつかの企業又は機関等の需要を満たすことができる。
【００７０】
図２は、本発明に係るビデオ情報に対して検証を行うための検証装置の構造概略図である。本発明に係る検証装置は、前記ユーザのビデオ情報を取得するための装置（以下、「取得装置１」と略称する）と、前記ビデオ情報に基づいて、前記ビデオ情報に対応するビデオ検証情報を抽出するための装置（以下、「抽出装置２」と略称する）と、前記ビデオ検証情報に基づいて検証処理を実行して、前記ビデオ情報が前記ユーザに対応する検証要件を満たすか否かを決定するための装置（以下、「検証実行装置３」と略称する）と、を備える。
【００７１】
図２に示すように、取得装置１は、前記ユーザのビデオ情報を取得する。
【００７２】
好ましくは、前記ユーザは、例えば企業、団体、機構等のユーザを含む。
【００７３】
前記取得装置１が前記ユーザのビデオ情報を取得する態様は、以下のいずれかを含むが、それらに限定されない。
【００７４】
１）ユーザから提出されたビデオ情報を受信する。
【００７５】
２）ユーザが提出したビデオ指示情報に基づいて、対応するビデオ情報を取得する。ここで、前記ビデオ指示情報は、ビデオの取得を指示するための関連情報を含み、例えば、ビデオアドレス情報、ビデオ識別子情報等が挙げられる。
【００７６】
例えば、ユーザによって提出されたビデオアドレス情報に基づいて、対応するビデオ情報を取得する。
【００７７】
次に、抽出装置２は、前記ビデオ情報に基づいて、前記ビデオ情報に対応するビデオ検証情報を抽出する。
【００７８】
ここで、前記ビデオ検証情報は、ユーザのビデオ情報を検証することができる各種情報を含む。
【００７９】
好ましくは、前記ビデオ検証情報は、以下の少なくとも一つを含むが、それらに限定されない。
【００８０】
１）ビデオフレームサンプリング情報。
【００８１】
２）ビデオ関連テキスト情報。当該ビデオ関連テキスト情報は、ユーザのビデオに関連する各種のテキスト情報を含み、例えば、ビデオ記述情報、ビデオタイトル等が挙げられる。
【００８２】
３）ビデオ関連オーディオ情報。当該ビデオ関連オーディオ情報は、ユーザのビデオに関連する各種のオーディオ情報を含み、例えば、ビデオから抽出される一部のオーディオ等である。
【００８３】
次に、検証実行装置３は、前記ビデオ検証情報に基づいて検証処理を実行して、前記ビデオ情報が前記ユーザに対応する検証要件を満たすか否かを決定する。
【００８４】
前記検証要件は、検証しようとするビデオ情報及び／又は基本情報に含まれてもよい及び／又は含まれてはいけない検証選別情報を示すためのものである。
【００８５】
例えば、選別テキスト情報は、ビデオ関連テキスト情報に含む必要がある文字及び／又は含んではいけない規制のある文字等を含むことができる。
【００８６】
また、例えば、ビデオフレームに「教室」、「オフィス」等のシーンモデルに合致するオブジェクトを含む必要があり、或いは、ビデオフレームに「たばこ」、「酒」等のモデルに合致するオブジェクトを含んではいけない。好ましくは、前記検証選別情報は、以下の少なくとも一つを含むが、それらに限定されない。
【００８７】
１）選別オブジェクト情報。当該選別オブジェクト情報は、選別に利用可能なオブジェクト情報を含み、例えば、画像認識処理に基づいて認識された「たばこ」、「酒」等のオブジェクトモデルが挙げられ、また、例えば、人の顔認識処理に基づいて認識される特定の人の姿等が挙げられる。
２）選別テキスト情報。当該選別テキスト情報は、選別に利用可能なテキスト情報を含む。
【００８８】
例えば、検証装置が選別するためのブラックリスト、規制のある文字情報等が挙げられる。
【００８９】
具体的に、検証実行装置３は、前記ビデオ検証情報に基づいて、検証選別情報を考慮し、前記ビデオ検証情報に対して第１の検証処理を実行して、前記ビデオ情報が前記ユーザに対応する検証要件を満たすか否かを決定する。
【００９０】
検証実行装置３が、前記ビデオ検証情報に基づいて、検証選別情報を考慮し、前記ビデオ検証情報に対して第１の検証処理を実行して、前記ビデオ情報が前記ユーザに対応する検証要件を満たすか否かを決定する態様は、以下の少なくとも一つの処理を含むが、それらに限定されない。
【００９１】
１）ビデオ検証情報がビデオフレームサンプリング情報を含む場合、当該ビデオフレームサンプリング情報に対して画像認識処理を実行してそれに含まれる各オブジェクト情報が得られ、得られた各オブジェクト情報に基づいて検証選別情報とマッチングして、前記ビデオ情報が前記ユーザに対応する検証要件を満たすか否かを決定する。
【００９２】
２）ビデオ検証情報がビデオ関連テキスト情報を含む場合、当該ビデオ関連テキスト情報と検証選別情報とをマッチングして、前記ビデオ情報が前記ユーザに対応する検証要件を満たすか否かを決定する。
【００９３】
例えば、取得したビデオ記述情報によって所定の選別ワードとマッチングし、当該ビデオ記述情報に当該選別ワードを含む場合、対応するビデオ情報がユーザに対応する検証要件を満たすと決定する。
【００９４】
３）検証選別情報がビデオ関連オーディオ情報を含む場合、当該ビデオ関連オーディオ情報に対して意味分析処理を実行してそれに含まれる意味テキスト情報を取得し、取得した意味テキスト情報によって検証選別情報とマッチングして、前記ビデオ情報が前記ユーザに対応する検証要件を満たすか否かを決定する。
【００９５】
本発明に係る第１例では、取得装置１は、電子商取引ユーザからのビデオｖｉｄｅｏ_１を取得し、当該電子商取引に対応する検証要件は、含んではいけない図形識別子ｉｍｇ_１、及び含んではいけない宣伝語ｐｒａ_１を含む。また、抽出装置２は、当該ビデオｖｉｄｅｏ_１に対応するサンプリングビデオフレームｓａｍｐｌｅ_１〜ｓａｍｐｌｅ_２０を対応するビデオ検証情報として抽出する。次に、検証実行装置３は、取得された各サンプリングビデオフレームに対して画像認識処理を実行して、その中にｉｍｇ_１を含むか否かを決定し、且つ、検証実行装置３は、サンプリングビデオフレームから字幕情報を抽出する処理を実行し、抽出された字幕情報に基づいて当該字幕情報に宣伝語ｐｒａ_１を含むか否かを判定し、サンプリングビデオフレームｓａｍｐｌｅ_１〜ｓａｍｐｌｅ_２０がいずれもｉｍｇ_１及びｐｒａ_１を含まないと決定した場合、当該ビデオｖｉｄｅｏ_１が当該電子商取引に対応する検証要件を満たすと決定する。
【００９６】
好ましくは、本発明に係る検証装置は、前記ユーザに対応する基本情報を取得するための装置（図示せず、以下、「情報取得装置」と略称する）をさらに備え、本発明に係る検証実行装置３は、前記基本情報に基づいて、前記ユーザに対して第２の検証処理を実行して、前記ビデオ情報が前記ユーザに対応する検証要件を満たすか否かを決定するための装置（図示せず、以下、「情報検証装置」と略称）をさらに備える。
【００９７】
情報取得装置は、前記ユーザに対応する基本情報を取得する。
【００９８】
前記基本情報は、以下の少なくとも一つを含むが、それらに限定されない。
【００９９】
１）企業の工商情報（企業の登記情報）
２）テキスト情報
３）画像情報
４）ウェブサイト情報。
【０１００】
例えば、情報取得装置は、工商局のウェブサイトに接続することによって、検証しようとするユーザに対応する企業の工商情報を取得する。また、例えば、情報取得装置は、ユーザが入力したウェブサイトアドレスに基づいて、そのウェブサイトにアクセスして対応するウェブサイト情報等を取得する。
【０１０１】
情報検証装置は、前記基本情報に基づいて、前記ユーザに対して第２の検証処理を実行して、前記ビデオ情報が前記ユーザに対応する検証要件を満たすか否かを決定する。
【０１０２】
例えば、取得したユーザに対応する企業工商情報に基づいて、関連するウェブサイトに問い合わせを行い、当該ユーザに対応する問い合わせ結果を取得した場合、当該ユーザのビデオがその工商情報に対応する検証要件を満たすと決定する。
【０１０３】
本発明の好適な実施形態によれば、本発明に係る検証装置は、前記ユーザのユーザ関連情報を取得するための装置（図示せず、以下、「ユーザ取得装置」と略称する）と、及び前記ユーザのユーザ関連情報に基づいて、前記ユーザに対応する検証要件を決定するための装置（図示せず、以下、「要件決定装置」と略称する）とをさらに備える。
【０１０４】
ユーザ取得装置は、前記ユーザのユーザ関連情報を取得する。
【０１０５】
前記ユーザ関連情報は、以下の少なくとも一つを含むが、それらに限定されない。
【０１０６】
１）業界分野情報。該業界分野情報は、ユーザの業界分野、例えば、所定の教育、映画・テレビ、飲食等の分野を示すための情報である。
【０１０７】
２）ユーザのレベル（等級）情報。該ユーザのレベル情報は、ユーザに対応するレベルを示すことに用いられてもよい各種情報を含む。例えば、ブロンズユーザ、シルバーユーザ、ゴールドユーザ等のメンバーのレベル情報が挙げられる。
【０１０８】
３）ユーザ経営情報。該ユーザ経営情報は、ユーザの属する業界分野の経営状況に関連する各種情報を含み、例えば、「広告」分野に属する各ユーザの前年度の売上高を統計して統計結果に基づいて各ユーザをランキング、取得した各ユーザの各ランキング情報をその経営関連情報とする。
【０１０９】
好ましくは、当該ユーザ経営情報は経営実景情報をさらに含んでもよく、例えば、ユーザの経営場所を反映する画像等である。
【０１１０】
次に、要件決定装置は、前記ユーザのユーザ関連情報に基づいて、前記ユーザに対応する検証要件を決定する。
【０１１１】
例えば、ユーザの業界分野が「スポーツ用品」分野を含む場合、その検証要件は、「ｎｉｋｅ商標と同一又は類似の画像を含まないこと」を含み、業界分野が「教育訓練」の分野である場合、その検証要件は、「‘新東方’、‘ウォールストリート’等の名称と同一又は類似の文字を含まないこと」を含み、さらに、例えば、検証要件は、等級の低い方から高い方へのユーザ等級に基づいて緩くしてもよい。
【０１１２】
好ましくは、本好適な実施例に係る検証装置は、前記ユーザ関連情報に基づいて、そのビデオ情報を検証する必要があるか否かを決定するための装置（図示せず、以下、「検証決定装置」と略称する）をさらに備える。
【０１１３】
検証決定装置は、前記ユーザ関連情報に基づいて、そのビデオ情報を検証する必要があるか否かを決定する。
【０１１４】
本発明に係る第２例によれば、所定の規則で、「インターネット」、「電子商取引」及び「飲食」の３つの業界のみに対してビデオ検証処理を実行する。取得装置１が、それぞれユーザｕｓｅｒ_１及びｕｓｅｒ_２という２つのユーザからのビデオ情報ｖｉｄｅｏ_２及びｖｉｄｅｏ_３を取得した後に、検証決定装置は、ユーザ取得装置が取得した、当該ユーザｕｓｅｒ_１のユーザ関連情報である業界分野「飲食」及びユーザｕｓｅｒ_２のユーザ関連情報である業界分野「教育訓練」に基づいて、ユーザｕｓｅｒ_１に対してビデオ検証を実行し、ユーザｕｓｅｒ_２に対してビデオ検証を実行しないと決定する。次に、要件決定装置は、当該業界分野「飲食」に対応する規制のある文字選別データベースを当該ユーザｕｓｅｒ_１に対応する検証選別情報として決定する。次に、抽出装置２は、当該ビデオに対応するビデオ検証情報であるビデオ記述情報を抽出し、検証実行装置３は、当該ビデオ記述情報に基づいて、当該飲食企業に対応する規制のある文字選別データベースを参照し、当該ビデオ記述情報を検証し、当該ビデオ記述情報が当該選別データベース中の各規制のある文字を含まないと決定した場合、ビデオｖｉｄｅｏ_２が当該飲食企業ユーザｕｓｅｒ_１に対応する検証要件を満たすと決定する。
【０１１５】
なお、検証決定装置がそのビデオ情報を検証する必要があるか否かを決定する処理は、要件決定装置が前記ユーザに対応する検証要件を決定する処理の後に、抽出装置２が前記ビデオ情報に対応するビデオ検証情報を抽出する処理の前に実行すればよい。また、取得装置１が前記ユーザのビデオ情報を取得する処理の前に実行してもよく、取得装置１が前記ユーザのビデオ情報を取得する処理の後にしてもよく、或いは、取得装置１が前記ユーザのビデオ情報を取得する処理とともに実行してもよい。
【０１１６】
好ましくは、本発明に係る検証装置は、前記ビデオ情報が前記ユーザに対応する検証要件を満たす場合、前記ビデオ情報に対応するビデオ参照情報を生成するための装置（図示せず、以下、「生成装置」と略称する）と、前記ビデオ参照情報を検索エンジンに送信することにより、ユーザが前記ビデオ情報に対応する検索結果を選択する時に、前記検索エンジンが、当該ビデオ参照情報に基づいて、当該ビデオ情報を取得してユーザに表示するための装置（図示せず、以下、「提出装置」と略称する）と、をさらに備える。
【０１１７】
前記ビデオ情報が前記ユーザに対応する検証要件を満たす場合、生成装置は、前記ビデオ情報に対応するビデオ参照情報を生成する。
【０１１８】
前記ビデオ参照情報は、検索エンジンによるビデオインデックスの作成に供し、当該ビデオ情報を取得するための関連情報を含む。
【０１１９】
好ましくは、前記ビデオ参照情報は、以下の少なくとも一つの情報を含むが、それらに限定されない。
【０１２０】
１）ビデオネットワークアドレス。
２）ビデオ識別子情報。
３）ビデオテキスト情報、例えば、ビデオのタイトル情報、ビデオキーワード情報等。
【０１２１】
提出装置は、前記ビデオ参照情報を検索エンジンに提出することにより、ユーザが前記ビデオ情報に対応する検索結果を選択する時に、前記検索エンジンが、当該ビデオ参照情報に基づいて、当該ビデオ情報を取得してユーザに表示するのに供する。
【０１２２】
本発明に係る第３例では、図３に示すとおり、図３は、例示的なビデオ表示効果図であり、「春田花花幼稚園」というユーザのビデオ情報ｖｉｄｅｏ_４がビデオ検証に成功した後に、生成装置は、当該ビデオ情報ｖｉｄｅｏ_４に対応する再生アドレス情報をビデオ参照情報として、次に、提出装置は、当該再生アドレスを検索エンジンに提供する。検索ユーザが当該検索エンジンで幼稚園を検索し、且つ当該「春田花花幼稚園」というユーザに対応する検索結果に、「信用情報」のオプションをクリックすると、当該「春田花花幼稚園」というユーザに対応するビデオ情報ｖｉｄｅｏ_４を取得することができかつユーザに表示することができる。
【０１２３】
本発明に係る方案によって、ユーザのビデオ情報を取得して検証することができるようにしたことにより、該ユーザの検証要件を満たすビデオを表示し、インターネットユーザが検索エンジンの検索結果において当該ユーザの関連ビデオ情報を閲覧ことが可能にし、それによりビデオ情報によって当該ユーザに対する理解を深めることができる。且つ、本発明に係る方案によって、ビデオ情報そのものをより全面的に表示することを希望するいくつかの企業又は機関等の需要を満たすことができる。
【０１２４】
本発明のソフトウェアプログラム（関連するデータ構造を含む）は、コンピュータ読み取り可能な記録媒体、例えば、ＲＡＭメモリ、磁気ドライブ又は光学ドライブ又はフロッピーディスク及び類似装置に記録されてもよい。また、本発明の一部のステップ又は機能はハードウェア、例えばプロセッサと協働して各機能又はステップを実行する電気回路によって実現することができる。
【０１２５】
また、本発明の一部は、コンピュータプログラム製品、例えばコンピュータプログラムのコマンドとして使用されてもよく、コンピュータによって実行される場合、当該コンピュータの処理により、本発明に係る方法及び／又は技術方案を呼び出す又は提供することができる。本発明の方法を呼び出すプログラムのコマンドは、固定記録媒体又は取り外し可能な記録媒体に記録され、及び／又はブロードキャスト又はその他の信号担持媒体におけるデータストリームを介して伝送され、及び／又は前記プログラムのコマンドに応じて運転するコンピュータ装置のワーキングメモリに記録される。ここで、本発明の一実施例によれば、コンピュータプログラムのコマンドを記録するメモリと、タプログラムのコマンドを実行するプロセッサとを備える装置を含み、当該コンピュータプログラムのコマンドが当該プロセッサに実行される場合に、当該装置に、本発明に係る複数の実施例の方法及び／又は技術方案を実行させる。
【０１２６】
当業者であれば、本発明は、上記の例示的な実施例の詳細に制限されることなく、本発明の主旨又は基本的な特徴を脱逸しない限り、その他の形態で本発明を実現できることが明らかである。従って、いずれにしても、実施例は例示的なものにすぎず、非限定的であり、本発明の技術的範囲は上記の説明ではなく添付した請求の範囲により特定され、従って、請求項の記載と同等の要件を満たす意味及び範囲に属するあらゆる変化は本発明の内に含まれる。請求項における任意の図面符号を、その請求項に対する制限とみなしてはならない。また、「含む」という用語は、他のユニット又はステップを排除せず、単数形を使用する場合も複数を含む。システムの請求項において説明した複数のユニット又は装置は、一つのユニット又は装置によりソフトウェア又はハードウェアを通じて実現されてもよい。第１、第２等の単語は名称の表示に用いられるものであり、順番を特定するものではない。
【図１】
0006499763.tif 000002
【図２】
0006499763.tif 000003
【図３】
0006499763.tif 000004